(57)【特許請求の範囲】
【請求項１】
先端部が割り溝によって複数の係止片に分割されて拡縮径可能な筒状部材と、この筒状部材に外挿されて軸方向にスライド可能な環状の締付け部材とからなる球移送用蛇腹管の挿着部材であって、筒状部材の先端部外縁には締付け部材の抜け止め用凸条を設けるとともに、筒状部材の先端部内縁には球移送用蛇腹管を挟持するための係止爪を設けたことを特徴とする球移送用蛇腹管の挿着部材。
【請求項２】
後端側に取り付け部材からの抜け止め用の係止片が複数形成され、先端部が割り溝によって複数の係止片に分割されて拡縮径可能な筒状部材と、この筒状部材の先端部に外挿されて軸方向にスライド可能な環状の締付け部材とからなる球移送用蛇腹管の挿着部材であって、筒状部材の先端部外縁には締付け部材の抜け止め用凸条を設けるとともに、筒状部材の先端部内縁には球移送用蛇腹管を挟持するための係止爪を設けたことを特徴とする球移送用蛇腹管の挿着部材。
【請求項３】
筒状部材の抜け止め用凸条に隣接する部位に環状の凹溝部を設け、周方向回転可能な締付け部材の内側には、広幅の割り溝に嵌入されて締付け部材の軸方向スライドを可能とし、前記凹溝部に嵌入されて締付け部材の軸方向スライドを不可能とする位置決め用突起を設けた請求項１又は２に記載の球移送用蛇腹管の挿着部材。
【請求項４】
筒状部材の先端部に、位置決め用突起が嵌入不能に当接して締付け部材の回転抵抗を増大させるための狭幅の割り溝を設けた請求項３に記載の球移送用蛇腹管の挿着部材。
【請求項５】
筒状部材の内側奥部に、挿入された球移送用蛇腹管の当接する段差部を設けた請求項１〜４の何れかに記載の球移送用蛇腹管の挿着部材。
【発明の詳細な説明】
【０００１】
【発明の属する技術分野】
本発明は、パチンコ機に球を移送するための球移送用蛇腹管の挿着部材に関するものである。
【０００２】
【従来の技術】
パチンコ島内において各パチンコ機に球を移送するための蛇腹管などの球移送管を球落下制御装置などの機構部に装着するような場合に、従来は、機構部の一端に移送管を挿し込んだ状態で、図９に示すようなホース止めなどの締結金具により球移送管を締め付け固定する方法が採用されてきた。しかし、球移送管の取り付け作業はパチンコ島内の奥まった狭い空間で行わねばならず、ホース止めなどの締結金具を用いて球移送管を固定する方法は作業性が極めて悪く多大な工数を必要とするものであった。
【０００３】
【発明が解決しようとする課題】
本発明は上記した従来の問題点を解決し、簡単な作業で球移送用蛇腹管を着脱することができる球移送用蛇腹管の挿着部材を提供するためになされたものである。
【０００４】
【課題を解決するための手段】
上記の課題を解決するためになされた本発明の球移送用蛇腹管の挿着部材は、先端部が割り溝によって複数の係止片に分割されて拡縮径可能な筒状部材と、この筒状部材に外挿されて軸方向にスライド可能な環状の締付け部材とからなる球移送用蛇腹管の挿着部材であって、筒状部材の先端部外縁には締付け部材の抜け止め用凸条を設けるとともに、筒状部材の先端部内縁には球移送用蛇腹管を挟持するための係止爪を設けたことを特徴とするものであり、また、本発明の球移送用蛇腹管の挿着部材は、後端側に取り付け部材からの抜け止め用の係止片が複数形成され、先端部が割り溝によって複数の係止片に分割されて拡縮径可能な筒状部材と、この筒状部材の先端部に外挿されて軸方向にスライド可能な環状の締付け部材とからなる球移送用蛇腹管の挿着部材であって、筒状部材の先端部外縁には締付け部材の抜け止め用凸条を設けるとともに、筒状部材の先端部内縁には球移送用蛇腹管を挟持するための係止爪を設けたことを特徴とするものである。
【０００５】
なお、筒状部材の抜け止め用凸条に隣接する部位に環状の凹溝部を設け、周方向回転可能な締付け部材の内側には、広幅の割り溝に嵌入されて締付け部材の軸方向スライドを可能とし、前記凹溝部に嵌入されて締付け部材の軸方向スライドを不可能とする位置決め用突起を設けるのが望ましく、また、筒状部材の先端部に、位置決め用突起が嵌入不能に当接して締付け部材の回転抵抗を増大させるための狭幅の割り溝を設けるのが望ましい。さらに、筒状部材の内側奥部に、挿入された球移送用蛇腹管の当接する段差部を設けるのが望ましい。
【０００６】
本発明の球移送用蛇腹管の挿着部材は、先端部が複数の係止片に分割されて拡縮径可能な筒状部材と、この筒状部材に外挿される環状の締付け部材とからなるものであって、締付け部材が外挿された筒状部材に球移送用蛇腹管を挿着して締付け部材を先端にスライドさせることによって、係止片が縮径されて係止片の内側に設けた係止爪を球移送用蛇腹管の側面に食い込ませてこれを挟持することができる。
【０００７】
【発明の実施の形態】
以下に図面を参照しつつ本発明の好ましい実施形態を示す。図１、２は本発明の球移送用蛇腹管の挿着部材の第１の実施形態を示す図であって、１は球の落下の衝撃を緩衝するために軸部が横方向に曲げられた筒状部材、２はこの筒状部材１に外挿された環状の締付け部材である。ここで、筒状部材１の先端部は対向する位置に形成された二つの広幅割り溝３ａと、広幅割り溝３ａの９０°位置に形成された二つの狭幅割り溝３ｂとによって、４片の係止片４に分割されている。この係止片４の先端外縁には締付け部材２の抜け止め用凸条５と、抜け止め用凸条５に隣接して環状の凹溝部６が設けられ、各々の係止片４の先端内縁には球移送用蛇腹管を挟持するための係止爪７が設けられている。また、筒状部材１の内側で係止片４の付け根付近には挿入された球移送用蛇腹管が当接する段差部８が環状に形成されている。一方、締付け部材２の外側にはスライド操作などを容易に行うための摘み部２１が二つ対向する位置に設けられており、この摘み部２１と９０°をなす位置の内側には小円柱状の位置決め用突起２２が二つ設けられている。この位置決め用突起２２は図２（ａ）に示すように広幅割り溝３ａ内に嵌入された時のみ締付け部材２が軸方向にスライド移動可能である。そして、筒状部材１に外挿された締付け部材２を先端から後退させた時には、係止片４の先端が若干開いて拡径され球移送用蛇腹管の挿着を容易なものとしている。なお、筒状部材１の係止片４が設けられた部位と反対側、即ち後端側は、割り溝３１によって係止片３２が形成され、係止片３２の外縁には係止爪３３が設けられている。従って、この係止爪３３が設けられた後端側を、筒状部材１の挿通孔（図示していない）が設けられた取り付け部材３４に嵌入することにより球落下制御装置などの機構部の所要位置に挿着部材を取り付けることができる。
【０００８】
球移送用蛇腹管を挿着部材に挿着するに当たって、先ず筒状部材１に外挿された締付け部材２を先端から後退させて係止片４の先端を拡径し、球移送用蛇腹管をその先端が段差部８に当接するまで挿入する。次いで、図３、４に示すように締付け部材２を筒状部材１の先端外縁に形成された抜け止め用凸条５に当接するまで先端側にスライドさせる。これによって、係止片４の先端が縮径されて係止爪７を球移送用蛇腹管の側面に食い込ませて、球移送用蛇腹管を挟持して固定することができる。
【０００９】
しかしながら、図３、４に示した状態のままで球の移送を行うと、球の移送によって発生する振動などによって締付け部材２が先端部からずれて後退し、遂には球移送用蛇腹管の締付けが緩んでしまうことになる。従って、締付け部材２をスライドさせて係止片４により球移送用蛇腹管を挟持させたのちは、図５、６に示すように締付け部材２を９０°回転させる。これによって、位置決め用突起２２は広幅割り溝３ａの位置からずれて環状の凹溝部６内に嵌め込まれるうえに、小円柱状の位置決め用突起２２の頂部が狭幅割り溝３ｂに嵌入されることなく当接されるので、締付け部材２が回転する時の抵抗を若干増加させることができる。従って、この状態では位置決め用突起２２は凹溝部６に嵌め込まれていて締付け部材２は軸方向にスライド不能であるうえに、狭幅割り溝３ｂが位置決め用突起２２の回転抵抗を大きくしているので、長期間使用しても緩んだりすることなく球移送用蛇腹管を堅固に挟持して固定することができる。
【００１０】
【００１１】
以上のような挿着部材を用いて、例えば図８に示すように遊技板裏側の球タンク３５の上部に備えられた球落下制御装置３６の上方に、取り付け部材３４をねじ止めして固定し、この取り付け部材３４に締付け部材２が外挿された筒状部材１を挿着したうえ、これに上方の球分配補給装置３７から垂設された球移送用蛇腹管３８を挿着することによって、球移送用蛇腹管３８を挟持して堅固に固定することができる。
【００１２】
【発明の効果】
以上に説明したように、本発明の球移送用蛇腹管の挿着部材は、先端部が複数の係止片に分割されて拡縮径可能な筒状部材と、この筒状部材に外挿される環状の締付け部材とにより構成したので、締付け部材が外挿された筒状部材に球移送用蛇腹管を挿着して締付け部材を先端にスライドさせることによって、係止片が縮径されて係止片の内側に設けた係止爪を球移送用蛇腹管の側面に食い込ませてこれを挟持することができる。また、筒状部材の先端外縁の抜け止め用凸条の隣に環状の凹溝部を設け、締付け部材を回転させてその内側に設けた位置決め用突起を凹溝部に嵌入することによって締付け部材の軸方向のスライドを阻止することができる。さらに、締付け部材を所定角度回転させた時に、位置決め用突起の頂部が狭幅に形成された割り溝に嵌入されることなく当接するようにしたので、締付け部材の回転抵抗が増加されて長期間に渡って締付け部材が緩んだりすることがない。また、筒状部材の係止片の付け根付近に段差部を設けたので、挿入された球移送用蛇腹管を常に所定の位置で受け止めることができる。球移送用蛇腹管を取り外す時は締付け部材を回転させて位置決め用突起を広幅割り溝内に嵌入したうえ軸方向にスライドさせることによって、係止片の先端が拡径されるので簡単に球移送用蛇腹管を脱着することができる。従って、本発明の球移送用蛇腹管の挿着部材は、簡単に球移送用蛇腹管を着脱することができるものとして業界にもたらす益大なものである。
【図面の簡単な説明】
【図１】  本発明の実施形態の挿着部材を示す斜視図である。
【図２】  図１の挿着部材の、（ａ）平面図、（ｂ）正面図、（ｃ）筒状部材先端の正面図である。
【図３】  締付け部材を筒状部材の先端側に移動させた状態を示す斜視図である。
【図４】  図３の挿着部材の、（ａ）平面図、（ｂ）正面図、（ｃ）筒状部材先端の正面図である。
【図５】  締付け部材を筒状部材の先端部で９０°回転させた状態を示す斜視図である。
【図６】  図５の挿着部材の、（ａ）平面図、（ｂ）正面図、（ｃ）筒状部材先端の正面図である。
【図７】  参考として示す内側面多角形の筒状部材先端の正面図であって、（ａ）先端が拡径された状態、（ｂ）先端が縮径された状態を示す。
【図８】  本発明の挿着部材に球移送用蛇腹管を挿着した状態を示す遊技板裏側上部の正面図である。
【図９】  従来のホース止めを示す平面図である。
【符号の説明】
１  筒状部材
２  締付け部材
３ａ  広幅割り溝
３ｂ  狭幅割り溝
４  係止片
５  抜け止め用凸条
６  環状の凹溝部
７  係止爪
８  段差部
２１  摘み部
２２  位置決め用突起
３０  切込み
３１  割り溝
３２  係止片
３３  係止爪
３４  取り付け部材
３５  球タンク
３６  球落下制御装置
３７  球分配補給装置
３８  球移送用蛇腹管
【図１】
0003756093.tif 000002
【図２】
0003756093.tif 000003
【図３】
0003756093.tif 000004
【図４】
0003756093.tif 000005
【図５】
0003756093.tif 000006
【図６】
0003756093.tif 000007
【図７】
0003756093.tif 000008
【図８】
0003756093.tif 000009
【図９】
0003756093.tif 000010